(57)【特許請求の範囲】
【請求項１】
容器体（２）の口頚部（３）に着脱可能に嵌合させた装着キャップ（４）と、装着キャップ（４）上端より上方付勢状態で押し下げ可能に突出したステム（５）と、ステム上端に嵌着固定した縦筒（７）を頂壁（８）裏面より垂設するとともに、頂壁（８）周縁部より周壁（９）を垂設し、且つ、縦筒上部に基端を開口したノズル（１０）を周壁（９）を貫通して突設してなる噴出ヘッド（６）とを備え、噴出ヘッド（６）の上下動により装着した容器体内の液を吸い上げてノズル（１０）より噴出する如く構成した液体噴出ポンプに於いて、噴出ヘッド（６）の周壁（９）内外を連通して貫設した笛装着筒（１１）内に外筒（１４）を挿入嵌合し、且つ、外筒（１４）外周縁より突設した係止突条（１６）を笛嵌着筒（１１）後面に当接係止して装着した空気の通過により音を発する笛（Ａ）と、噴出ヘッド（６）の周壁（９）下端部に上端部を、装着キャップ（４）上面に下端部を、それぞれ気密に嵌着固定するとともに、ステム（５）周囲を囲繞して設けた蛇腹（Ｂ）とを備え、噴出ヘッドの上下動により音を発する如く構成したことを特徴とする液体噴出ポンプ。
【発明の詳細な説明】
【０００１】
【発明の属する技術分野】
本発明は液体噴出ポンプに関する。
【０００２】
【従来の技術】
液体噴出ポンプとして、容器体の口頚部に装着キャップを嵌合させて着脱自在に容器体に装着するとともに、装着キャップ上端より上方付勢状態で上下動可能にステムを突設し、ステム上端にノズル付き噴出ヘッドを装着固定してなるものが知られている。
【０００３】
これらは噴出ヘッドの上下動により内蔵ポンプ機構の作用で装着した容器体内の液をノズルより外部へ噴出する如く構成したものである。
【０００４】
【発明が解決しようとする課題】
これらの液体噴出ポンプは、従来液体噴出の機能面から考慮されているが、その液体噴出操作時、容器が通常と異なる音色の音を発するように設ければ、使用者の心を和ませ、或いは楽しませたりすることが可能である。また、このようにすることは、似たような商品が多い中での商品の差別化に役立たせることができる。
【０００５】
本発明はこの様な見地よりなされたもので、液体の噴出操作時に自動的に音を発することができ、その構造も簡単な優れた液体噴出ポンプを提案するものである。
【０００６】
【課題を解決するための手段】
本請求項１発明の液体噴出ポンプは、上記課題を解決するため、容器体２の口頚部３に着脱可能に嵌合させた装着キャップ４と、装着キャップ４上端より上方付勢状態で押し下げ可能に突出したステム５と、ステム上端に嵌着固定した縦筒７を頂壁８裏面より垂設するとともに、頂壁８周縁部より周壁９を垂設し、且つ、縦筒上部に基端を開口したノズル10を周壁９を貫通して突設してなる噴出ヘッド６とを備え、噴出ヘッド６の上下動により装着した容器体内の液を吸い上げてノズル10より噴出する如く構成した液体噴出ポンプに於いて、噴出ヘッド６の周壁９内外を連通して貫設した笛装着筒11内に外筒14を挿入嵌合し、且つ、外筒14外周縁より突設した係止突条16を笛嵌着筒11後面に当接係止して装着した空気の通過により音を発する笛Ａと、噴出ヘッド６の周壁９下端部に上端部を、装着キャップ４上面に下端部を、それぞれ気密に嵌着固定するとともに、ステム５周囲を囲繞して設けた蛇腹Ｂとを備え、噴出ヘッドの上下動により音を発する如く構成したことを特徴とする液体噴出ポンプとして構成した。
【０００７】
【発明の実施の形態】
以下、本発明の実施例の形態を図面を参照して説明する。
【０００８】
本発明の液体噴出ポンプ１は、容器体２の口頚部３に装着キャップ４を嵌合させて着脱自在に容器体２に装着したもので、装着キャップ４上端より上方付勢状態で押し下げ可能に突出したステム５と、ステム５上端に嵌着固定させた噴出ヘッド６とを備えている。
【０００９】
噴出ヘッド６は、ステム５上端部に嵌着固定した縦筒７を頂壁８下面中央より垂設するとともに、頂壁８周縁部からは周壁９を垂設し、更に、縦筒７の上部に基端部を開口したノズル10を周壁９を貫通して前方へ突設している。図示例では、周壁９の後部に、後述する笛を嵌着するための笛嵌着筒11を貫設している。この笛嵌着筒11は、先端部を周壁９後部内に突出し、後端部を周壁９後部外へ突出した横円筒状に形成している。そして、噴出ヘッド６の上下動により、内蔵ポンプ機構の作用で、装着した容器体２内の液をパイプ13より吸い上げ、ノズル10より噴出する如く構成している。
【００１０】
図示例では、上端部を装着キャップ４に固定させたシリンダ12の下端部を容器体２内に垂下させ、シリンダ12下端に上端を嵌着したパイプ13を容器体内下部に垂下させている。また、シリンダ12内に上下動可能に嵌合させた環状ピストン（図示せず）に下端を連係させたステムを、装着キャップ４の頂板を介してシリンダ上端より上方付勢状態で上下動可能に突出している。
【００１１】
本発明では、この種の液体噴出ポンプに於いて、液の噴出操作時に特有の音を出すめに、笛Ａと、蛇腹Ｂとを備えている。
【００１２】
笛Ａは、噴出ヘッド６の周壁９内外を連通するとともに、空気の通過により音を発するものである。本実施例に於ける笛Ａは、噴出ヘッド６の笛嵌着筒11内に嵌着させた外筒14を有し、また、一端を外筒14の一端面に開口し、他端を外筒14内に長手方向と直行して開口した通気路ａを備え、外筒14内の開口を、周縁部に小間隙ｂをあけて振動可能なリード弁15により被覆している。
【００１３】
更に具体的に言えば、笛嵌着筒11内に外筒14を挿入嵌合するとともに、外筒14外周縁より突設した係止突条16を笛嵌着筒11後面に当接係止して笛Ａを噴出ヘッド６に嵌着固定している。また、外筒14の後面開口を半分閉塞する閉塞板17を設けるとともに、閉塞板17の中心縁部より内方へ、外筒14内後部を二分割する隔壁18を延設し、閉塞板17のない部分の外筒14内周に、隔壁18より内方に至る半円筒状で且つ先端面を湾曲閉塞させた第２隔壁19を設け、隔壁18と第２隔壁19とで通気路ａを形成し、また、隔壁18と第２隔壁19後部との間にリード弁15の後部を挟持させるとともに、リード弁15前部により隔壁18前方に上方を向いて開口した開口部分を、小間隙ｂをあけて振動可能に被覆している。そして、外筒14前方より後方に向かい空気が流れた場合に音を発する如く構成している。
【００１４】
リード弁15は、合成樹脂、紙、金属、或いはこれらの複合体等により形成でき、その材質の選択や、上記小間隙ｂの幅の調整により種々の高低や音色を発することができる。
【００１５】
尚、笛Ａは、上記実施例のものに限らず、空気の通過により音を発するものであればその具体的構成は種々採用できる。また、上記実施例では、笛Ａを介して空気が外部へ通過する際に音を発する如く構成しているが、その逆に、外部から噴出ヘッド６内部へ笛Ａを介して空気が通過する際に音が発する如く構成しても良い。但し、前者の場合には、後者の場合と比較して液の注出に伴い素早く音を発するため、聴覚による識別をより有効に行える利点がある。
【００１６】
蛇腹Ｂは、噴出ヘッド６の上下動により伸縮して笛Ａに空気を通過させるために設けたものであり、ステム５周囲を囲繞して掛け渡したもので、伸縮可能な襞状壁を有する円筒状をなし、噴出ヘッドの周壁９下端部に上端部を、装着キャップ４上面に下端部を、それぞれ気密に嵌着固定している。
【００１７】
図示例では、図２にある如く、噴出ヘッド周壁９下面内周縁部より下方へ、係合外筒20を垂設するとともに、該係合外筒と所定幅をあけた内方に、ノズル10及び笛嵌着筒11下面に上面の一部を一体に連結した係合内筒21を垂設し、係合外筒20及び係合内筒21間に蛇腹Ｂの上端部を気密に挿入嵌合させている。また、装着キャップ４の上面にも、係合外筒20と係合内筒21とを突設し、各筒間に蛇腹Ｂの下端部を気密に挿入嵌合させている。
【００１８】
上記液体噴出ポンプ１を使用する場合には、例えば、図１の状態から噴出ヘッド６を押し下げると、内蔵ポンプ機構の作用で、装着した容器体内の液をパイプ13より吸い上げ、ノズル10より噴出する。この際、蛇腹Ｂ内の空気が笛Ａを介して外部へ排出され、音を発する。次いで、噴出ヘッド６の押圧を解除すると、噴出ヘッド６はその上方付勢力により上昇するとともに、蛇腹Ｂも弾性復元して元の状態に戻る。
【００１９】
【発明の効果】
以上説明した如く本発明の液体噴出器は既述構成としたことにより、液体の噴出時に自動的に音を発するため、聴覚的な識別を可能とし、また、使用者の心を和ませ、或いは楽しませるという効果を発揮する。また、音を発することにより、数多くの商品中に特異な存在感を生じさせて、所謂差別化に役立つものである。
【００２０】
また、従来のこの種のポンプの極一部の構成を変えるだけで形成することができるため、容易且つ安価に製造できる利点もある。
【図面の簡単な説明】
【図１】本発明の一実施例を示す縦断面図である。
【図２】同実施例に於ける噴出ヘッドの底面図である。
【符号の説明】
２…容器体，３…口頚部，４…装着キャップ，５…ステム，
６…噴出ヘッド，７…縦筒，８…頂壁，９…周壁，10…ノズル，Ａ…笛，
Ｂ…蛇腹
【図１】
0004756527.tif 000002
【図２】
0004756527.tif 000003